(57)【要約】【課題】操作が容易であって、特にユーザが汚れたクリーニング・ヘッド端に手を触れる必要なしに、空のカートリッジを取外して新しいものを装着することによって詰替えが可能である家庭用掃除道具を提供する。【解決手段】一端に傾斜した取っ手（４）と、他端にクリーニング・ヘッド（５）とを有する細長いハウジング（３）を備えた家庭用掃除道具（１）。前記ハウジングは更に、家庭用洗剤流体（１０）の着脱可能なカートリッジ（９）を係合するための連結手段（１１）と、前記カートリッジから前記クリーニング・ヘッドに家庭用洗剤流体（１０）を搬送するためのポンプ手段（６）とを備えており、前記カートリッジは、前記ハウジング内に滑動可能に受け入れられており、前記ポンプ手段を作動せしめ、それによって前記家庭用洗剤流体を前記カートリッジから前記クリーニング・ヘッドに投与するために前記クリーニング・ヘッドの方向に押し下げることが出来る。【実用新案登録請求の範囲】
【請求項１】
一端に傾斜した取っ手（４）と、他端にクリーニング・ヘッド（５）とを有する細長いハウジング（３）を備えた家庭用掃除道具（１）であって、前記ハウジングは更に、
（ａ）前記取っ手（４）と前記クリーニング・ヘッド（５）との間に位置し、家庭用洗剤流体（１０）の着脱可能カートリッジ（９）を係合するための連結手段（１１）と、
（ｂ）前記連結手段（１１）と前記クリーニング・ヘッド（５）との間に位置し、前記カートリッジ（９）から前記クリーニング・ヘッド（５）に家庭用洗剤流体（１０）を送り込むためのポンプ手段（６）とを備えており、
前記カートリッジ（９）は前記連結手段（１１）を解放して前記ハウジング（３）から前記カートリッジ（９）を引っ張ることによって前記ハウジング（３）から取り外し可能であり、また、
前記カートリッジ（９）は、前記ハウジング（３）内に滑動可能に受け入れられており、前記ポンプ手段（６）を作動せしめ、それによって前記ポンプ手段（６）を介して前記家庭用洗剤流体（１０）を前記カートリッジ（９）から前記クリーニング・ヘッド（５）に投与するために前記クリーニング・ヘッド（５）の方向に押し下げ可能であることを特徴とする、家庭用掃除道具。
【請求項２】
前記カートリッジ（９）が押し下げられて前記家庭用洗剤流体（１０）を投与した後に、前記ポンプ手段（６）と前記クリーニング・ヘッド（５）との間に位置するバイアス手段（１５）が、このカートリッジ（９）をその開始位置に戻すことを特徴とする、請求項１に記載の道具（１）。
【請求項３】
前記カートリッジ（９）は前記カートリッジ（９）が前記ハウジング（３）から取外されるときに前記カートリッジ（９）からの流体（１０）の漏れを防止するために自動密閉手段（１４）を備えていることを特徴とする、請求項１または２に記載の道具（１）。
【請求項４】
前記自動密閉手段（１４）は柔軟なシリコーン隔壁の形をしていることを特徴とする、請求項１から３のいずれかに記載の道具（１）。
【請求項５】
前記クリーニング・ヘッド（５）は流体（１０）を前記クリーニング・ヘッド（５）の内面から外面に搬送するための複数の管路（７）を備えていることを特徴とする、請求項１から４のいずれかに記載の道具（１）。
【請求項６】
前記連結手段（１１）は、ねじりロック可能であって、前記ポンプ手段（６）が作動可能になる前にロック解除が必要であることを特徴とする、請求項１から５のいずれかに記載の道具（１）。
【請求項７】
前記カートリッジ（９）をその長い軸の周りに回転させることによってロックまたはロック解除が行われることを特徴とする、請求項６に記載の道具（１）。
【請求項８】
不使用時にこれを保持するためのポット（２）を更に備えたことを特徴とする、請求項１から７のいずれかに記載の道具（１）。
【考案の詳細な説明】
【技術分野】
【０００１】
本考案は、家庭用掃除道具に関する。本考案は特に、家庭用洗剤流体のための交換可能なカートリッジを組み込んでいてトイレットや小便便器といった浴室備品を清掃するために特に適した家庭用掃除道具に関する。
【背景技術】
【０００２】
ブラシなどの掃除道具と組み合わせて洗剤液の瓶を使用することは、過剰な洗剤液の使用により、かなりの浪費という結果を招く。一部の洗剤製品の腐食性あるいは刺激性は、こぼれる危険があるため、ユーザが掃除道具に製品を直接投与することは好まないことを意味する。これは結果的に、トイレットに流体を注ぎ込んでからブラッシングで汚れを除去するという習慣をもたらしている。もしこぼれるという危険なしに洗剤流体の制御された投与量をブラシに与えることができれば、洗剤流体は汚れに直接与えられて製品の浪費と洗剤の過剰使用による環境汚染とを最小限にできるであろう。
【０００３】
従来技術でこの問題に取り組むために多くの試みが行われてきた。国際公開第９９／２３９２６号パンフレットは、ブラシが容器内に押し込まれるときに容器が洗剤流体をブラシに吹きかける保管容器に保管されるトイレット・ブラシを開示しているが、独国特許公開第１９８０４０６４号明細書はさらに、ブラシ容器内に、使用に先立ってブラシ・ヘッドに洗剤流体を投与するポンプ駆動式流体スプレーを開示している。これらのシステムは、使用のために容器からブラシを取り出すときに有害な製品のこぼれる危険を克服できない。
【０００４】
国際公開第０１／０３５４２号パンフレットと独国特許公開第３４３９９１２号明細書は、スリーブ部材によって加圧ガス洗剤流体容器に取り付けられた生成物塗付ブラシを開示している従来技術の例である。独国特許公開第２３３１６９４号明細書は、取っ手の基部のクリーニング・ヘッドから取っ手のねじを緩めることによって交換される、取っ手内に加圧流体カートリッジを有するクリーニング・ブラシを開示している。
【０００５】
米国特許第５，８８８，００２号明細書は、搾り出し可能な貯蔵器内に洗剤流体を有する使い捨てトイレット・ブラシを開示している。
【０００６】
国際公開第００／４２８９２号パンフレットと欧州特許公開第０２１０５２２号明細書は、詰め替え可能洗剤流体貯蔵器を有するブラシを示す従来技術の例であるが、国際公開第９９／５２３９７号パンフレットは、上端に詰替え可能な細長い貯蔵器を有するブラシであって貯蔵器の開放された下端からブラシ・ヘッドを押し離すことによってブラシの上に流体を吐出するブラシを開示している。
【０００７】
独国実用新案公開第２９７１８１１７Ｕ１号明細書は、固形の殺菌剤カートリッジの保管のための中空シャフトを有するブラシを開示している。
【０００８】
欧州特許公開第０１７５５０５号明細書は、外部トリガーによって操作される交換可能で折りたたみ可能なカートリッジを有するクリーニング・ブラシを開示している。
【０００９】
従来技術は多くの問題を持っている。ユーザは、汚れに関連する健康上の危険のために、汚れたクリーニング・ヘッドから離れた取っ手部分以外のトイレット・ブラシの如何なる部分も手で触れるつもりはない。同様に取っ手の上方で保持されるブラシのヘッドに通じる如何なる操作も、取っ手を流れ下ってユーザに接触しようとする汚れた液体あるいは洗剤流体に通じる可能性がある。
【００１０】
家庭環境では、ユーザは、それ以外の清潔な洗い場を汚染する危険があるためトイレット・ブラシを洗浄するつもりも、如何なる汚れた部分も洗うつもりがない。したがって、貯蔵器の詰替えを含む開示された手段はすべて、貯蔵器を詰め替えるためにブラシの潜在的に汚れている領域を手で触れることを含んでいる。またしばしば腐食性の、あるいは刺激性の洗剤流体の詰替え作業は、汚く、潜在的に危険なことと考えられている。
【００１１】
加圧ガス貯蔵器の如何なる使用も、子供が装置に触れるような場合はトイレットの衛生的使用に関して危険であると考えられている。また高圧ガス溶剤の使用も、環境問題および／または引火性問題に関して望ましくない。
【考案の開示】
【考案が解決しようとする課題】
【００１２】
本考案による家庭用掃除道具は、操作が容易であって、特にユーザが汚れたクリーニング・ヘッド端に手を触れる必要なしに、空のカートリッジを取外して新しいものを装着することによって詰替えが可能である。
【課題を解決するための手段】
【００１３】
本考案は、一端に傾斜した取っ手と、他端にクリーニング・ヘッドとを有する細長いハウジングを備えた家庭用掃除道具であって、前記ハウジングは更に、（ａ）取っ手とクリーニング・ヘッドとの間に位置し、家庭用洗剤流体の着脱可能なカートリッジを係合するための連結手段と、（ｂ）前記連結手段とクリーニング・ヘッドとの間に位置し、前記カートリッジから前記クリーニング・ヘッドに家庭用洗剤流体を搬送するためのポンプ手段とを備えており、前記カートリッジは前記連結手段を解放して前記ハウジングから前記カートリッジを引っ張ることによって前記ハウジングから取り外し可能であり、前記カートリッジは、前記ハウジング内に滑動可能に受け入れられていて、前記ポンプ手段を作動せしめ、それによって前記ポンプ手段を介して前記家庭用洗剤流体を前記カートリッジから前記クリーニング・ヘッドに投与するために前記クリーニング・ヘッドの方向に押し下げ可能であることを特徴とする家庭用掃除道具を提供する。
【００１４】
本考案のトイレット・ブラシの特定の例が、付属図面に示されている。
【考案を実施するための最良の形態】
【００１５】
カートリッジは、ユーザが直接カートリッジ自身の上を押すか、間接的にトリガータイプの駆動機構を用いることによって押し下げられて家庭用洗剤流体を投与することができ、それによってこの道具の取っ手には、カートリッジ上の対応するスロットに係合していて、トリガーがユーザにつかまれるとカートリッジを押し下げるトリガーが備えられている。この間接駆動という後者の形式は、手の小さい、あるいは握力の弱いユーザのためには好適である。
【００１６】
カートリッジは、押し下げられて家庭用洗剤流体を投与した後にその開始位置に手動で戻すことはできるが、ポンプ手段とクリーニング・ヘッドとの間に、ばねといったバイアス手段を配置することが好ましい。これは、ユーザの介入なしにカートリッジをその開始位置に戻すように働き、所望の場所に計量供給方式で家庭用洗剤流体を迅速に反復投与すること容易にする。
【００１７】
カートリッジの交換時の洗剤流体のこぼれを防止することは安全性と経済性との理由から有利である。これは、カートリッジがハウジングから取り外されるときにカートリッジからの家庭用洗剤流体の漏れを防止するように働く自動密封手段をカートリッジに設けることによって適切に達成される。自動密封手段の好適な形態は、柔軟な隔壁であって、これは典型的にはシリコーン・ゴムで作られる。これは適切には、中空の針といった貫通手段と一緒に使用される。この針は、カートリッジがハウジング内への取付けのためにねじ込まれるときに針が柔軟隔壁を貫通し、それによって洗剤流体が流れるのを可能にするようなハウジング内の位置に設けられる。この柔軟隔壁は、使用済みカートリッジが針から引き抜かれてハウジングから取外されるとき、この使用済みカートリッジ内に残っている可能性のある如何なる残留洗剤流体の滴下や漏れも少なくとも十分な程度に防止するように、再密封する。
【００１８】
上述の針・柔軟隔壁構成の更なる利点は、これがカートリッジの自動吐出を可能にすることである。これは、カートリッジに開けられた孔といった別の吐出機構を設ける必要なしに、カートリッジの中身を使い切ったときにカートリッジ内に部分真空が形成されるのを防止する。
【００１９】
この道具のクリーニング・ヘッドは典型的には、クリーニング・ヘッドの外面に洗剤液を搬送する手段を備えている。これは適切には、クリーニング・ヘッドの外面にポンプ手段を連結する一本の、または好ましくは複数本の管の形をしており、あるいはは代替として結果的にスポンジまたは合成スポンジ材料といった多孔質材料から作られたクリーニング・ヘッドであってもよい。
【００２０】
クリーニング・ヘッドは、その外面に剛毛または合成剛毛のアレイを備えていることが好ましい。これらの剛毛は、溶着またはステープル止めといった本技術で既知の手法によってクリーニング・ヘッドに固定できる。
【００２１】
最も好ましくはこれらの剛毛は、房状に配列されており、クリーニング・ヘッドの内部からクリーニング・ヘッドの剛毛の各アレイの基部に流体連続管路が通っている。この構成は、洗剤流体が剛毛の各アレイの基部に接触することを保証するので更なる衛生的利点をもたらす。
【００２２】
更に、洗剤流体の流動学的特性と剛毛プロファイルとの賢明な選択によって、流体粘性と毛管作用との組合せによりこの道具の使用と使用との間に、剛毛房の細隙に洗剤流体の残留分を保持することが出来る。これは、使用と使用との間に、道具が衛生的に清潔で新鮮な状態に保たれることを保証している。この洗剤流体の残留分の目視化を可能にするために透明または半透明の剛毛房を使用することが好ましい。
【００２３】
チキソトロピックな家庭用洗剤流体は、ポンピング後の流出や滴下なしにポンピングできるので、本考案の道具と一緒に使用するには好適である。
【００２４】
洗剤流体の潜在的に有害な性質のためにこの道具は、ヘッドに対する液体の不測のポンピングや幼児による使用を防止するロック装置を備えていることが好ましい。ロック装置の好適な形態は、カートリッジをその長い軸の周りに回転させることによって使用可能または使用不能にされる、またカートリッジ、ハウジングそれぞれの上で協働動作する（例えば「バヨネット」型の）突起部・凹部構成によって、ポンピング位置と非ポンピング位置との間のカートリッジの不測の動きが防止されるねじりロック可能な取付け具である。カートリッジ挿入時の不測の流体のポンピングも防止するこのタイプの構成が最も好適である。すなわち挿入後、カートリッジは、ポンプの作動を可能にするためにロック解除位置にまで回転しなくてはならない。
【００２５】
カートリッジとハウジングは、カートリッジのロック位置とロック解除位置とを示すために位置合わせインジケータでマーク付けできる。
【００２６】
またカートリッジ内の洗剤流体が使い終わってカートリッジの交換が必要になるときをユーザが容易に判断できれば好適である。本考案の好適な形態では、ハウジングとカートリッジとポンプ手段またはクリーニング・ヘッドという部品は、流体がカートリッジ内に残っているかどうかをユーザが目視で確認できるような透明または半透明の材料で作られる。
【００２７】
またこの道具は、不使用時の保管のために適切な形に作られたポットを備えていることが望ましい。好適な形態ではハウジングは、この道具がポット内に置かれるときにポットの蓋を形成するように働く閉鎖スカートを備えている。この閉鎖スカートは、それが相互係合するポットの対応する上面にスナップ嵌合することが好ましい。これは、ユーザが一式の部品からこの道具を容易に組み立てることを可能にしている。このポットはまた、使用後にクリーニング・ヘッドから滴下する可能性のある如何なる残留液も収集する井戸を備えていることが好ましく、また例えば抗菌性材料の衛生的ライナーで裏打ちすることもできる。この道具は、クリーニング・ヘッド上に在る道具によるよりもむしろ、スカートによってポット内に支持されることが望ましい。子供がこの道具を使用するのを防止するための一つの選択は、ポットからこの道具を取り外すために操作しなくてはならないようなロック装置をこの道具とポットとに設けることである。ロック装置の好適な形態は、ロックを解除するためにポットに対して道具を協働動作的に押し下げてねじることを含んでいる。このポットは、滑り易い床上で滑るのを防止するためにその基部にグリップを取り付けていることが好ましい。
【００２８】
ハウジングと取っ手とカートリッジとに適した材料は、当業者にはよく知られた、硬くて形成し易い如何なる材料でもよい。好適な材料は、家庭用洗剤流体内の化学薬品からの影響に耐性のある熱成形可能なポリマーである。
【００２９】
道具（１）は、保管ポット（２）内に入れられており、傾斜した取っ手（４）とクリーニング・ヘッド（５）とを備えた硬いスリーブの形をした細長いハウジング（３）を有している。ハウジング（３）の本体の基部にはポンプ（６）が配置されている。代表的に（７）で示される複数の流体連続管路がクリーニング・ヘッド（５）の内面から外面に通じており、この外面には剛毛房のアレイが設けられており、そのうちの二つが（８）で略図的に示されている。
【００３０】
家庭用洗剤流体（１０）を入れた硬くて細長い軸対称（ａｘｉｓｙｍｍｅｔｒｉｃ）のカートリッジ（９）は、ハウジング（３）のスリーブ内に配置されており、ハウジング（３）とカートリッジ（９）との間のねじりロック可能なバヨネット継手（１１）によってハウジング（３）に連結されている。この連結部は、柔軟なワッシャ（１２）によって漏れ防止されている。ポンプ（６）とカートリッジ（９）との間には中空針（１３）が設けられているので、カートリッジが適所にねじ込まれるとき、この針（１３）はカートリッジ（９）のネックを密封する柔軟なシリコーンの密封隔壁（１４）を貫通する。これ（１４）は、洗剤流体（１０）が中空針（１３）を通ってポンプ（６）内に入ることを可能にする。
【００３１】
この道具を操作するために、ポンプ（６）を作動せしめるクリーニング・ヘッド（５）の方向にカートリッジ（９）が押し下げられ、それによって洗剤流体（１０）はカートリッジ（９）から管路（７）を通って剛毛房（８）のアレイに送られる。この動作はまた、ポンプ（６）とクリーニング・ヘッド（５）の内面との間に配置されたスプリング（１５）を圧縮するので、ポンピング動作の後にこのスプリングはカートリッジ（９）をその開始位置に戻すことができる。
【００３２】
細長いハウジング（３）は、この道具（１）がポット（２）内に在るときに、ポット（２）上で蓋を形成するようにポット（２）にスナップ嵌合する閉鎖スカート（１６）を備えている。このポット（２）はまた、クリーニング・ヘッド（５）から流れ出る如何なる残留洗剤流体（１０）でも収集するための井戸（１６）を備えている。
【図面の簡単な説明】
【００３３】
【図１】家庭用掃除道具（１）の断面図。
【符号の説明】
【００３４】
１  家庭用掃除道具
２  ポット
３  ハウジング
４  取っ手
５  クリーニング・ヘッド
６  ポンプ手段
７  管路
８  剛毛房
９  カートリッジ
１０  家庭用洗剤流体
１１  連結手段
１２  柔軟なワッシャ
１３  中空針
１４  密封隔壁
１５  バイアス手段
１６  閉鎖スカート
【図１】
0003106831.tif 000002